(57)【要約】【課題】画面を２つ以上のブロックに分割して駆動する場合にブロック間の輝度差を最小化したＰＤＰの駆動方法及び駆動装置を提供する。【解決手段】本発明の実施形態に係るＰＤＰの駆動方法は、画面を２つ以上のブロックに分割する段階と、前記ブロックのうち第１ブロックでアドレスを行った後第２ブロックでアドレスを行う段階と、を含み、前記第１ブロックのアドレス開始と前記第２ブロックのアドレス開始との間の時間差は、０より大きく５ｍｓより小さい範囲に設定される。【選択図】 図５
2005141234.tif 000002
【特許請求の範囲】
【請求項１】
プラズマディスプレイパネルを２つ以上のブロックに分割する段階と、
前記ブロックのうち第１ブロックでアドレスを行った後第２ブロックでアドレスを行う段階と、を含み、
前記第１ブロックのアドレス開始と前記第２ブロックのアドレス開始との間の時間差は、０より大きく５ｍｓより小さい範囲に設定されることを特徴とするプラズマディスプレイパネルの駆動方法。
【請求項２】
前記アドレスを行う段階は、
前記第１ブロックのデータ電極にデータを供給すると同時に前記第１ブロックのスキャン電極にスキャンパルスを供給する段階と、
前記第１ブロックのデータ電極と分離された前記第２ブロックのデータ電極にデータを供給すると同時に前記第２ブロックのスキャン電極にスキャンパルスを供給する段階と、を含むことを特徴とする請求項１記載のプラズマディスプレイパネルの駆動方法。
【請求項３】
前記アドレスに次いで、前記ブロックのそれぞれでサステイン放電を起こす段階をさらに含むことを特徴とする請求項１記載のプラズマディスプレイパネルの駆動方法。
【請求項４】
前記データは、点灯すべきオンセルを選択するための書き込みデータと、消灯すべきオフセルを選択するための消去データとのいずれか一つであることを特徴とする請求項２記載のプラズマディスプレイパネルの駆動方法。
【請求項５】
前記アドレスを行う段階は、
選択的書き込みサブフィールドで前記書き込みデータを前記データ電極に供給する段階と、
選択的消去サブフィールドで前記消去データを前記データ電極に供給する段階と、をさらに含むことを特徴とする請求項４記載のプラズマディスプレイパネルの駆動方法。
【請求項６】
前記第１ブロックのアドレス開始と前記第２ブロックのアドレス開始との間の時間差は、最大輝度加重値のサブフィールド期間より小さいことを特徴とする請求項１乃至５の何れかに記載のプラズマディスプレイパネルの駆動方法。
【請求項７】
２つ以上のブロックに分割されたプラズマディスプレイパネルと、
前記ブロックのうち第１ブロックでアドレスを行った後第２ブロックでアドレスを行う駆動部と、を備え、
前記駆動部は、前記第１ブロックのアドレス開始と前記第２ブロックのアドレス開始との間の時間差を、０より大きく５ｍｓより小さくすることを特徴とするプラズマディスプレイパネルの駆動装置。
【請求項８】
前記駆動部は、
前記第１ブロックのデータ電極にデータを供給すると同時に前記第１ブロックのスキャン電極にスキャンパルスを供給する第１駆動部と、
前記第１ブロックのデータ電極と分離された前記第２ブロックのデータ電極にデータを供給すると同時に前記第２ブロックのスキャン電極にスキャンパルスを供給する第２駆動部と、を備えることを特徴とする請求項７記載のプラズマディスプレイパネルの駆動装置。
【請求項９】
前記アドレスに次いで、前記ブロックのそれぞれでサステイン放電を起こすサステイン駆動部をさらに備えることを特徴とする請求項７記載のプラズマディスプレイパネルの駆動装置。
【請求項１０】
前記データは、点灯すべきオンセルを選択するための書き込みデータと、消灯すべきオフセルを選択するための消去データとのいずれか一つであることを特徴とする請求項８記載のプラズマディスプレイパネルの駆動装置。
【請求項１１】
前記駆動部は、
選択的書き込みサブフィールドで前記書き込みデータを前記データ電極に供給し、
選択的消去サブフィールドで前記消去データを前記データ電極に供給することを特徴とする請求項１０記載のプラズマディスプレイパネルの駆動装置。
【請求項１２】
前記駆動部は、
前記第１ブロックのアドレス開始と前記第２ブロックのアドレス開始との間の時間差を、最大輝度加重値のサブフィールド期間より小さくすることを特徴とする請求項７記載のプラズマディスプレイパネルの駆動装置。
【請求項１３】
プラズマディスプレイパネルを第１ブロック及び第２ブロックを含む複数のブロックに分割する段階と、
前記第１ブロックでアドレスを行う第１アドレス段階と、
前記第１ブロックでのアドレス開始から、最大輝度加重値のサブフィールド期間より短い所定時間経過後に、前記第２ブロックでアドレスを行う第２アドレス段階と、
を含むことを特徴とするプラズマディスプレイパネルの駆動方法。
【請求項１４】
前記第１ブロックのデータ電極と前記第２ブロックのデータ電極は互いに分離されており、
前記第１アドレス段階は、前記第１ブロックのデータ電極にデータを供給すると同時に前記第１ブロックのスキャン電極にスキャンパルスを供給する段階を含み、
前記第２アドレス段階は、前記第２ブロックのデータ電極にデータを供給すると同時に前記第２ブロックのスキャン電極にスキャンパルスを供給する段階を含む、
ことを特徴とする請求項１３記載のプラズマディスプレイパネルの駆動方法。
【請求項１５】
前記データは、点灯すべきオンセルを選択するための書き込みデータ、又は、消灯すべきオフセルを選択するための消去データのいずれか一つであることを特徴とする請求項１４記載のプラズマディスプレイパネルの駆動方法。
【請求項１６】
前記プラズマディスプレイパネルは１フレームが複数のサブフィールドに分割されて駆動され、前記複数のサブフィールドは選択書き込みフィールドと選択消去フィールドとを含み、
前記第１及び第２アドレス段階は、前記選択的書き込みサブフィールドで前記書き込みデータを前記データ電極に供給する段階と、前記選択的消去サブフィールドで前記消去データを前記データ電極に供給する段階とを含む、ことを特徴とする請求項１５記載のプラズマディスプレイパネルの駆動方法。
【請求項１７】
前記第１アドレス段階に次いで前記第１ブロックでサステイン放電を起こす第１サステイン段階と、前記第２アドレス段階に次いで前記第２ブロックでサステイン放電を起こす第２サステイン段階と、をさらに含むことを特徴とする、請求項１３乃至１６の何れかに記載のプラズマディスプレイパネルの駆動方法。
【請求項１８】
前記所定時間は、０より大きく５ｍｓより小さい範囲に設定されることを特徴とする、請求項１３乃至１７の何れかに記載のプラズマディスプレイパネルの駆動方法。
【請求項１９】
第１ブロック及び第２ブロックを含む複数のブロックに分割されたプラズマディスプレイパネルと、
前記第１ブロックでアドレスを行った後、最大輝度加重値のサブフィールド期間より短い所定時間の経過後に前記第２ブロックでアドレスを行うデータ駆動部と、
を備えたプラズマディスプレイ装置。
【請求項２０】
前記プラズマディスプレイパネルは、前記第１ブロックのデータ電極と、前記第１ブロックのデータ電極と分離された前記第２ブロックのデータ電極とを含み、
前記データ駆動部は、前記第１ブロックのデータ電極にデータを供給すると同時に前記第１ブロックのスキャン電極にスキャンパルスを供給する第１データ駆動回路と、前記第２ブロックのデータ電極にデータを供給すると同時に前記第２ブロックのスキャン電極にスキャンパルスを供給する第２データ駆動回路とを有することを特徴とする、請求項１９記載のプラズマディスプレイ装置。
【請求項２１】
前記データ駆動部は、点灯すべきオンセルを選択するための書き込みデータ、又は、消灯すべきオフセルを選択するための消去データのいずれか一つを前記データ電極に供給することを特徴とする、請求項２０記載のプラズマディスプレイ装置。
【請求項２２】
前記プラズマディスプレイ装置は、１フレームを複数のサブフィールドに分割して駆動し、前記複数のサブフィールドは選択書き込みフィールドと選択消去フィールドとを含み、
前記第１及び第２データ駆動回路は、前記選択的書き込みサブフィールドで前記書き込みデータを前記データ電極に供給し、前記選択的消去サブフィールドで前記消去データを前記データ電極に供給する、ことを特徴とする請求項２１記載のプラズマディスプレイ装置。
【請求項２３】
前記アドレスに次いで、前記第１及び第２ブロックのそれぞれでサステイン放電を起こすサステイン駆動部をさらに備えることを特徴とする、請求項１９乃至２２の何れかに記載のプラズマディスプレイ装置。
【請求項２４】
前記データ駆動部は、前記所定時間を０より大きく５ｍｓより小さい範囲に設定することを特徴とする、請求項１９乃至２３の何れかに記載のプラズマディスプレイ装置。
【請求項２５】
プラズマディスプレイパネルを第１ブロック及び第２ブロックを含む複数のブロックに分割する段階と、
前記第１ブロックでアドレスを行う第１アドレス段階と、
前記第１ブロックでのアドレス開始から所定時間経過後に、前記第２ブロックでアドレスを行う第２アドレス段階と、
を含むことを特徴とするプラズマディスプレイパネルの駆動方法。
【請求項２６】
第１ブロック及び第２ブロックを含む複数のブロックに分割されたプラズマディスプレイパネルと、
前記第１ブロックでアドレスを行った後、所定時間の経過後に前記第２ブロックでアドレスを行うデータ駆動部と、
を備えたプラズマディスプレイ装置。
【発明の詳細な説明】
【技術分野】
【０００１】
本発明は、プラズマディスプレイパネルに係り、より詳細には、プラズマディスプレイパネルの駆動方法及び駆動装置に関する。
【背景技術】
【０００２】
プラズマディスプレイパネル（Plasma Display Panel：以下、「ＰＤＰ」という）は、Ｈｅ＋Ｘｅ、Ｎｅ＋Ｘｅ、Ｈｅ＋Ｎｅ＋Ｘｅガスの放電時に発生する紫外線によって蛍光体を発光させることにより、画像を表示する。このようなＰＤＰは、薄膜化と大型化が容易であるうえ、最近の技術開発に伴い、大きく向上した画質を提供している。特に、３電極交流面放電型ＰＤＰは、放電時に表面に蓄積された壁電荷を用いて、放電に必要な電圧を低下させ、放電によって発生するスパッタリングから電極を保護するので、低電圧駆動と長寿命の利点を有する。
【０００３】
図１を参照すれば、従来の３電極交流面放電型ＰＤＰは、ｎ個のスキャン電極Ｙ１〜Ｙｎ及びｎ個の共通サステイン電極Ｚが放電空間を挟んでｍ個のデータ電極Ｘ１〜Ｘｍに交差し、その交差部にｍ×ｎ個のセル１が形成される。隣接したデータ電極Ｘ１〜Ｘｍの間には、水平に隣接したセル１間の電気的、光学的混信を遮断するための隔壁２が形成される。
【０００４】
スキャン電極Ｙ１〜Ｙｎは、スキャン信号が順次印加されてスキャンラインを選択した後、サステインパルスが共通に印加されて選択されたセルに対してサステイン放電を起こす。共通サステイン電極Ｚは、スキャン電極Ｙ１〜Ｙｎに供給されるサステインパルスと交互するサステインパルスが印加されて選択されたセルに対してサステイン放電を起こす。データ電極Ｘ１〜Ｘｍは、スキャン信号と同期されるデータパルスが印加されてセル１を選択するようになる。
【０００５】
ＰＤＰは、画像の階調を具現するために、一つの画面を構成するフレーム期間（ＮＴＳＣ方式：１６.６７ｍｓ）を発光回数の異なる複数のサブフィールドに分けて時分割駆動を行う。各サブフィールドは、全画面を初期化するためのリセット期間と、スキャンラインを選択して該選択されたスキャンラインでセルを選択するためのアドレス期間と、放電回数によって階調を表現するサステイン期間（または表示期間）と、に分けられる。例えば、２５６階調で画像を表示しようとする場合、１／６０秒に該当するフレーム期間（１６.６７ｍｓ）は、図２のように８個のサブフィールドＳＦ１〜ＳＦ８に分けられる。８個のサブフィールドＳＦ１〜ＳＦ８のそれぞれは、前述したようにリセット期間とアドレス期間とサステイン期間とに分けられる。ここで、各サブフィールドのリセット期間及びアドレス期間は各サブフィールド毎に同一である反面、表示期間は各サブフィールドにおいて２ｎ（但し、ｎ＝０，１，２，３，４，５，６，７）の割合で増加する。
【０００６】
ところで、ＰＤＰの全体走査ラインＳＣ１〜ＳＣｎを、図２のようにアドレス期間とサステイン期間とに分けられるいわゆる「ＡＤＳ（Address & Display Separated）」方式にて駆動すると、アドレス期間の増加につれてその分サステイン期間が減少することになり、高輝度、高画質の画像を表現することができないという問題点がある。ここで、一つの走査ラインは、同一のスキャン信号に応答してそれぞれのデータが供給される一行のセルを含む。例えば、走査ラインＳＣ１〜ＳＣｎ数とセル１数の増加を伴う解像度増加や動映像での擬似輪郭ノイズ（Contour noise）の減少を目指してサブフィールドを追加する場合は、限定された時間内で非表示期間、特にアドレス期間が長くなり、これに対して表示期間のサステイン期間が相対的に短くなる。
【０００７】
このような駆動時間の不足を解決するために、本願出願人は、米国特許ＵＳ６，２８８，６９３号などに、図１に示すように、サステイン電極をスキャニング可能なスキャン電極に取り替え、画面を複数のブロックに分割してそれぞれのブロックでのスキャニングを可能にすることにより、アドレス期間を短くする方法及び装置を提案している。ところで、この方法及び装置によれば、複数のブロックのうちいずれか一つのブロックはアドレス期間として動作してスキャニングが行われ、他の少なくとも一つのブロックはサステイン期間として動作してサステイン放電が起こる。例えば、図３に示すように、ＰＤＰを２つのブロックに分割して駆動する場合、上半部ブロックがアドレス期間として動作すると、これと同時に下半部ブロックはサステイン期間として動作する。このように一定の期間中同一の画面内で一部がアドレス期間として動作すると同時に他の部分がサステイン期間として動作すると、同じ一つの画面内で輝度差が生じるという問題点がある。
【０００８】
また、ＰＤＰの分割駆動方法の他の例として、図４のように相異なる各ブロックが同時にアドレス期間として動作したり、サステイン期間として動作したりする方法があり得る。ところで、この分割駆動方法は、フレーム毎に発光中心点が同じ時点において発生するので、フリッカ（Flicker）が発生するという問題点がある。
【発明の開示】
【発明が解決しようとする課題】
【０００９】
本発明は、かかる従来の問題点を解決するためのもので、その目的は、画面を２つ以上のブロックに分割して駆動する場合にブロック間の輝度差を最小化したＰＤＰの駆動方法及び駆動装置を提供することにある。
【課題を解決するための手段】
【００１０】
本発明の実施形態に係るＰＤＰの駆動方法は、画面を２つ以上のブロックに分割する段階と、前記ブロックのうち第１ブロックでアドレスを行った後第２ブロックでアドレスを行う段階と、を含む。
【００１１】
前記第１ブロックのアドレス開始と前記第２ブロックのアドレス開始との間の時間差は、０より大きく５ｍｓより小さい範囲に設定されることを特徴とする。
【００１２】
前記アドレスを行う段階は、前記第１ブロックのデータ電極にデータを供給すると同時に前記第１ブロックのスキャン電極にスキャンパルスを供給する段階と、前記第１ブロックのデータ電極と分離された前記第２ブロックのデータ電極にデータを供給すると同時に前記第２ブロックのスキャン電極にスキャンパルスを供給する段階と、を含む。
【００１３】
本発明の実施形態に係るＰＤＰの駆動方法は、前記アドレスに次いで、前記ブロックのそれぞれでサステイン放電を起こす段階をさらに含む。
【００１４】
前記データは、点灯すべきオンセルを選択するための書き込みデータと、消灯すべきオフセルを選択するための消去データとのいずれか一つであることを特徴とする。
【００１５】
前記アドレスを行う段階は、選択的書き込みサブフィールドで前記書き込みデータを前記データ電極に供給する段階と、選択的消去サブフィールドで前記消去データを前記データ電極に供給する段階と、をさらに含む。
【００１６】
前記第１ブロックのアドレス開始と前記第２ブロックのアドレス開始との間の時間差は、最大輝度加重値のサブフィールド期間より小さいことを特徴とする。
【００１７】
本発明の実施形態に係るＰＤＰの駆動装置は、２つ以上のブロックに分割されたＰＤＰと、前記ブロックのうち第１ブロックでアドレスを行った後第２ブロックでアドレスを行う駆動部と、を備える。
【００１８】
前記駆動部は、前記第１ブロックのアドレス開始と前記第２ブロックのアドレス開始との間の時間差を、０より大きく５ｍｓより小さくすることを特徴とする。
【００１９】
前記駆動部は、前記第１ブロックのデータ電極にデータを供給すると同時に前記第１ブロックのスキャン電極にスキャンパルスを供給する第１駆動部と、前記第１ブロックのデータ電極と分離された前記第２ブロックのデータ電極にデータを供給すると同時に前記第２ブロックのスキャン電極にスキャンパルスを供給する第２駆動部と、を備える。
【００２０】
本発明の実施形態に係るＰＤＰの駆動装置は、前記アドレスに次いで、前記ブロックのそれぞれでサステイン放電を起こすサステイン駆動部をさらに備える。
【００２１】
前記データは、点灯すべきオンセルを選択するための書き込みデータと、消灯すべきオフセルを選択するための消去データとのいずれか一つであることを特徴とする。
【００２２】
前記駆動部は、選択的書き込みサブフィールドで前記書き込みデータを前記データ電極に供給し、選択的消去サブフィールドで前記消去データを前記データ電極に供給することを特徴とする。
【００２３】
前記駆動部は、前記第１ブロックのアドレス開始と前記第２ブロックのアドレス開始との間の時間差を、最大輝度加重値のサブフィールド期間より小さくすることを特徴とする。
【００２４】
本発明の実施形態に係るプラズマディスプレイ駆動方法は、プラズマディスプレイパネルを第１ブロック及び第２ブロックを含む複数のブロックに分割する段階と、前記第１ブロックでアドレスを行う第１アドレス段階と、前記第１ブロックでのアドレス開始から、最大輝度加重値のサブフィールド期間より短い所定時間経過後に、前記第２ブロックでアドレスを行う第２アドレス段階と、を含むことを特徴とする。
【００２５】
前記第１ブロックのデータ電極と前記第２ブロックのデータ電極は互いに分離されても良い。前記第１アドレス段階は、前記第１ブロックのデータ電極にデータを供給すると同時に前記第１ブロックのスキャン電極にスキャンパルスを供給する段階を含み、前記第２アドレス段階は、前記第２ブロックのデータ電極にデータを供給すると同時に前記第２ブロックのスキャン電極にスキャンパルスを供給する段階を含むようにしても良い。
【００２６】
前記データは、点灯すべきオンセルを選択するための書き込みデータ、又は、消灯すべきオフセルを選択するための消去データのいずれか一つとすることができる。
【００２７】
前記プラズマディスプレイパネルは１フレームが複数のサブフィールドに分割されて駆動され、前記複数のサブフィールドは選択書き込みフィールドと選択消去フィールドとを含むことができる。前記第１及び第２アドレス段階は、前記選択的書き込みサブフィールドで前記書き込みデータを前記データ電極に供給する段階と、前記選択的消去サブフィールドで前記消去データを前記データ電極に供給する段階とを含むことができる。
【００２８】
前記第１アドレス段階に次いで前記第１ブロックでサステイン放電を起こす第１サステイン段階と、前記第２アドレス段階に次いで前記第２ブロックでサステイン放電を起こす第２サステイン段階と、をさらに含むことができる。
【００２９】
前記所定時間は、０より大きく５ｍｓより小さい範囲に設定することができる。
【００３０】
本実施形態に係るプラズマディスプレイパネルは、第１ブロック及び第２ブロックを含む複数のブロックに分割されたプラズマディスプレイパネルと、前記第１ブロックでアドレスを行った後、最大輝度加重値のサブフィールド期間より短い所定時間の経過後に前記第２ブロックでアドレスを行うデータ駆動部と、を備えている。
【００３１】
前記プラズマディスプレイパネルは、前記第１ブロックのデータ電極と、前記第１ブロックのデータ電極と分離された前記第２ブロックのデータ電極とを含むことができる。前記データ駆動部は、前記第１ブロックのデータ電極にデータを供給すると同時に前記第１ブロックのスキャン電極にスキャンパルスを供給する第１データ駆動回路と、前記第２ブロックのデータ電極にデータを供給すると同時に前記第２ブロックのスキャン電極にスキャンパルスを供給する第２データ駆動回路とを有することができる。
【００３２】
前記データ駆動部は、点灯すべきオンセルを選択するための書き込みデータ、又は、消灯すべきオフセルを選択するための消去データのいずれか一つを前記データ電極に供給することができる。
【００３３】
前記プラズマディスプレイ装置は、１フレームを複数のサブフィールドに分割して駆動し、前記複数のサブフィールドは選択書き込みフィールドと選択消去フィールドとを含む。前記第１及び第２データ駆動回路は、前記選択的書き込みサブフィールドで前記書き込みデータを前記データ電極に供給し、前記選択的消去サブフィールドで前記消去データを前記データ電極に供給することができる。
【００３４】
前記アドレスに次いで、前記第１及び第２ブロックのそれぞれでサステイン放電を起こすサステイン駆動部をさらに備えることができる。
【００３５】
前記データ駆動部は、前記所定時間を０より大きく５ｍｓより小さい範囲に設定することができる。
【００３６】
さらに他の本実施形態に係るプラズマディスプレイパネルの駆動方法は、プラズマディスプレイパネルを第１ブロック及び第２ブロックを含む複数のブロックに分割する段階と、前記第１ブロックでアドレスを行う第１アドレス段階と、前記第１ブロックでのアドレス開始から所定時間経過後に、前記第２ブロックでアドレスを行う第２アドレス段階と、を含むことを特徴とする。
【００３７】
さらに他の本実施形態に係るプラズマディスプレイ装置は、第１ブロック及び第２ブロックを含む複数のブロックに分割されたプラズマディスプレイパネルと、前記第１ブロックでアドレスを行った後、所定時間の経過後に前記第２ブロックでアドレスを行うデータ駆動部と、を備えたことを特徴とする。
【発明を実施するための最良の形態】
【００３８】
以下、本発明の実施形態を添付図を参照して詳しく説明する。
【００３９】
図５を参照すれば、本発明の第１実施形態に係るＰＤＰの駆動方法は、ＰＤＰを上半部ブロックＢＬ１と下半部ブロックＢＬ２の二つに分割して駆動し、上半部ブロックＢＬ１と下半部ブロックＢＬ２のアドレスまたはスキャニングを所定の時間差Δtを付けて開始する。
【００４０】
上半部ブロックＢＬ１と下半部ブロックＢＬ２のそれぞれは、１フレーム期間をＮ個のサブフィールドに分けて時分割駆動する。各ブロックＢＬ１、ＢＬ２におけるサブフィールドは、図５のように輝度加重値の低いサブフィールドから高いサブフィールド順に、またはその逆順に配置する。また、各ブロックＢＬ１、ＢＬ２におけるサブフィールドは、動映像の擬似輪郭ノイズなどの画質低下要因を減らすために、サブフィールドの輝度加重値が不連続的にまたはランダムになるように配置することもできる。また、各ブロックＢＬ１、ＢＬ２におけるサブフィールドは、米国特許ＵＳ６，２８８，６９３号に開示されたように、短い時間で各サブフィールドのアドレス期間が集中され、そのアドレス集中期間がブロックＢＬ１、ＢＬ２間に重ならないように配置することもできる。
【００４１】
本発明に係るＰＤＰの駆動方法では、サブフィールドをいかなる方式で配置するとしても、１フレーム期間内で少なくとも所定の期間中に上半部ブロックＢＬ１及び下半部ブロックＢＬ２のアドレス期間とサステイン期間とが重畳され、２つのブロックＢＬ１、ＢＬ２のそれぞれのアドレス開始時点またはスキャニング開始時点に、所定の時間差Δtを設ける必要がある。アドレス時間差Δtは、２つのブロックＢＬ１、ＢＬ２を肉眼で同時に見る時、２つのブロックＢＬ１、ＢＬ２間に輝度差が生じない程度に設定する。このアドレス時間差Δtは、０ｍｓより大きく５ｍｓより小さい範囲に設定され、０ｍｓより大きく２ｍｓより小さい範囲に設定されるのが望ましい。また、アドレス時間差Δtは、輝度加重値が最も高いサブフィールド、例えば図５のＮ番目のサブフィールドＳＦＮの期間以内に設定して、２つのブロックＢＬ１、ＢＬ２間の輝度差の発生を防止する。
【００４２】
本願出願人は、既出願された大韓民国特許出願第１０−２０００−００１２６６９号、特許出願第１０−２０００−００５３２１４号、特許出願第１０−２００１−０００３００３号、特許出願第１０−２００１−０００６４９２号、特許出願第１０−２００２−００８２５１２号、特許出願第１０−２００２−００８２５１３号、特許出願第１０−２００２−００８２５７６号などに、１フレーム期間内に存在するサブフィールドの一部でアドレス期間中に書き込み放電でオンセル（On-cell）を選択するとともに、他のサブフィールドでアドレス期間中に消去放電でオフセル（Off-cell）を選択するいわゆる「ＳＷＳＥ（Selective Writing and Selective Erasure）方式を提案している。本発明に係るＰＤＰの駆動方法では、１フレーム期間内に配置されるサブフィールドは前述したＳＷＳＥ方式のサブフィールドを含むことができる。この場合、アドレス期間をさらに短くすることができるので、高速駆動にさらに有利である。また、本発明に係るＰＤＰの駆動方法は、アドレス期間中にオンセルを選択する複数のサブフィールドのみを含む選択的書き込み方式や、アドレス期間中にオフセルを選択する複数のサブフィールドのみを含む選択的消去方式にてサブフィールドを配置することもできる。
【００４３】
図６は、本発明の第１実施形態に係るＰＤＰの駆動装置を示す。
【００４４】
図６を参照すれば、本発明の第１実施形態に係るＰＤＰの駆動装置は、上半部と下半部との間でデータ電極ＸＵ１〜ＸＵｍ、ＸＤ１〜ＸＤｍが分割されたＰＤＰ６０と、上半部ブロックＢＬ１のデータ電極ＸＵ１〜ＸＵｍにデータを供給するための第１データ駆動部６１Ａと、下半部ブロックＢＬ２のデータ電極ＸＤ１〜ＸＤｍにデータを供給するための第２データ駆動部６１Ｂと、スキャン電極Ｙ１〜Ｙｎを駆動するためのスキャン駆動部６２と、サステイン電極Ｚ１〜Ｚnを駆動するためのサステイン駆動部６３と、を備える。
【００４５】
ＰＤＰ６０において、分割されたデータ電極ＸＵ１〜ＸＵm、ＸＤ１〜ＸＤmはスキャン電極Ｙ１〜Ｙｎ及びサステイン電極Ｚ１〜Ｚnと交差する。この交差部にはセル１０１が形成される。
【００４６】
第１データ駆動部６１Ａは、図示しないタイミング制御手段の制御下で上半部ブロックＢＬ１のアドレス期間中に、上半部ブロックＢＬ１のデータ電極ＸＵ１〜ＸＵｍに書き込みデータまたは消去データを供給する。
【００４７】
第２データ駆動部６１Ｂは、タイミング制御手段の制御下で下半部ブロックＢＬ２のアドレス期間中に、下半部ブロックＢＬ２のデータ電極ＸＤ１〜ＸＤｍに書き込みデータまたは消去データを供給する。この第２データ駆動部６１Ｂは、第１データ駆動部６１Ａによって一番目のデータが発生する時点から所定時間差Δtの後に二番目のデータを発生させる。書き込みデータは、前述した選択的書き込み方式のサブフィールドで書き込み放電によって点灯すべきオンセルを選択するデータである。これに対して、消去データは、前述した選択的消去方式のサブフィールドで消去放電によって消灯すべきオフセルを選択するデータである。
【００４８】
スキャン駆動部６２は、タイミング制御手段の制御下で上半部ブロックＢＬ１のアドレス期間中に、スキャンパルスをスキャン電極Ｙ１〜Ｙｎ／２に順次供給すると同時に、上半部ブロックＢＬ１で発生する一番目のスキャンパルスが発生する時点から所定時間差Δtの後にスタートする下半部ブロックＢＬ２のアドレス期間中に、スキャンパルスをスキャン電極Ｙｎ／２＋１〜Ｙｎに順次供給する。また、スキャン駆動部６２は、上半部ブロックＢＬ１及び下半部ブロックＢＬ２のサステイン期間中にサステインパルスをスキャン電極Ｙ１〜Ｙｎに供給する。
【００４９】
サステイン駆動部６３は、タイミング制御手段の制御下で上半部ブロックＢＬ１及び下半部ブロックＢＬ２のアドレス期間中に正極性の直流バイアス電圧をサステイン電極Ｚ１〜Ｚnに供給し、サステイン期間中にスキャン駆動部６３と交互に動作してサステインパルスをサステイン電極Ｚ１〜Ｚnに供給する。
【００５０】
図７は、図６に示した各駆動部６１Ａ、６１Ｂ、６２、６３によって発生する駆動波形を示す。図７において、リセット期間に発生する初期化波形は省略される。
【００５１】
図７を参照すれば、上半部ブロックＢＬ１のアドレス期間中、第１データ駆動部６１Ａは上半部ブロックＢＬ１のアドレス電極ＸＵ１〜ＸＵmに書き込みまたは消去データＤｐを供給し、スキャン駆動部６２は上半部ブロックＢＬ１のデータに同期されるスキャンパルスＳｐを第１〜第ｎ／２スキャン電極Ｙ１〜Ｙｎ／２に順次供給する。また、スキャン駆動部６２は、上半部ブロックＢＬ１のサステイン期間において、サステインパルスｓｕｓをスキャン電極Ｙ１〜Ｙn/2に供給する。サステイン駆動部６３は、上半部ブロックＢＬ１のアドレス期間中において、正極性の直流バイアス電圧をサステイン電極Ｚ１〜Ｚn/2に供給する。また、サステイン駆動部６３は、上半部ブロックＢＬ１のサステイン期間中において、スキャン駆動部６２と交互に動作してサステインパルスｓｕｓをサステイン電極Ｚ１〜Ｚn/2に供給する。
【００５２】
上半部ブロックＢＬ１で一番目のデータパルスＤｐ及びスキャンパルスＳｐが発生してから所定の時間差Δtの後に、下半部ブロックＢＬ２のアドレス期間が開始される。下半部ブロックＢＬ２のアドレス期間中、第２データ駆動部６１Ｂは下半部ブロックＢＬ２のアドレス電極ＸＤ１〜ＸＤmに書き込みまたは消去データＤｐを供給し、スキャン駆動部６２は下半部ブロックＢＬ２のデータに同期されるスキャンパルスＳｐを第ｎ／２＋１〜第ｎスキャン電極Ｙｎ／２＋１〜Ｙｎに順次供給する。また、スキャン駆動部６２は、下半部ブロックＢＬ２のサステイン期間において、サステインパルスｓｕｓをスキャン電極Ｙn/2+1〜Ｙｎに供給する。サステイン駆動部６３は、下半部ブロックＢＬ２のアドレス期間中において、正極性の直流バイアス電圧をサステイン電極Ｚn/2+1〜Ｚｎに供給する。また、サステイン駆動部６３は、下半部ブロックＢＬ２のサステイン期間中において、スキャン駆動部６２と交互に動作してサステインパルスｓｕｓをサステイン電極Ｚn/2+1〜Ｚｎに供給する。
【００５３】
このように上半部ブロックＢＬ１および下半部ブロックＢＬ２でアドレス期間が重畳され、その重畳期間中に少なくとも２つのラインが同時にスキャニングされるので、アドレス期間が短くなる。
【００５４】
このように上半部ブロックＢＬ１及び下半部ブロックＢＬ２のそれぞれでアドレス放電が起こり、オンセルやオフセルが選択された後、上半部ブロックＢＬ１及び下半部ブロックＢＬ２のそれぞれでサステインパルスsｕｓがスキャン電極Ｙ１〜Ｙｎとサステイン電極Ｚ１〜Ｚnに供給されて、オンセル内でサステイン放電が起こる。
【００５５】
一方、図５及び図７と異なり、下半部ブロックＢＬ２が先にスキャニングされ、所定時間差の後に上半部ブロックＢＬ１がスキャニングされることもできる。
【００５６】
本発明の実施形態は、ＰＤＰを上半部と下半部の２つのブロックに分割して駆動する例を中心に説明したものであるが、本発明に係るＰＤＰの駆動方法および装置は、この実施形態に限定されるものではなく、アドレス電極をｋ個のブロック数に分割して駆動することもできる。
【図面の簡単な説明】
【００５７】
【図１】従来の３電極交流面放電型プラズマディスプレイパネルの電極配置を示す平面図である。
【図２】従来のプラズマディスプレイパネルの１フレームの構成を示す図である。
【図３】分割駆動の一例を示す図である。
【図４】分割駆動の他の例を示す図である。
【図５】本発明の実施形態に係るプラズマディスプレイパネルの駆動方法において上半部ブロックと下半部ブロックの１フレーム構成を示す図である。
【図６】本発明の実施形態に係るプラズマディスプレイパネルの駆動装置を示すブロック図である。
【図７】図６に示した駆動部によって発生する駆動信号を示す波形図である。
【図１】
2005141234.tif 000003
【図２】
2005141234.tif 000004
【図３】
2005141234.tif 000005
【図４】
2005141234.tif 000006
【図５】
2005141234.tif 000007
【図６】
2005141234.tif 000008
【図７】
2005141234.tif 000009